Podtech/llm-jp-corpus-v4-ja_patent huggingface dataset:
(57)【要約】【課題】本考察は定規を平らな所に置くと取り上げが困難になるため、取り上げを簡単に出来ることを課題とした。【解決手段】定規の横側面に溝を設けて解決手段とした。【選択図】図１
0003108593.tif 000002
【実用新案登録請求の範囲】
【請求項１】
定規の側面に横溝を設けたことを特徴とした溝付き定規。
【考案の詳細な説明】
【技術分野】
【０００１】  本考案は文房具で定規に関する。
【背景技術】
【０００２】  従来定規に穴をあけた構造の物があり利点もある。
【考案の開示】
【考案が解決しようとする課題】
【０００３】  しかしながら定規に穴をあけただけの構造には欠点がある。
平らな所に定規を置くと取り上げることに困難で不利がある。
【課題を解決するため手段】
【０００４】  本考案は定規の側面に横溝を設けて解決手段とした。
【考案を実施するための最良の形態】
【０００５】  図１に示すように定規の側面に横溝を設けることに、取り上げ時、溝に爪を刺し込み取り上げを楽にした形態。
【考案の効果】
【０００６】  本考案は、定規は机、その他平らな場所、置くと取り上げに困難となる、溝を設けることで、溝に爪を差し込むことで楽に取り上げが出来る。
【図面の簡単な説明】
【図１】本考案に関する溝付き定規の工程図である。
【符号の説明】
１、定規
２、横に設けた溝
【図１】
0003108593.tif 000003
(57)【要約】【課題】  本考案は浴槽のフタを半身浴時に閉めて上半身の胸肩が冷ない様に、首の周りまでくる様に加工し、入浴時以外は普通の浴槽フタとして使用できる、半身浴用フタを提供する。【解決手段】  浴槽フタ１に半楕円形２をカットして穴を開けて、半身入浴時に顔頭が出る様にし、入浴時以外は普通のフタとして利用できる様に浴槽フタ１のカット部分に溝３凹ＡＢＳ樹脂を付け、半楕円形部のカット部分に溝４凸ＡＢＳ樹脂を付けスライドさせて取りはずしが出きる様にした。【選択図】  図３
0003108591.tif 000002
【実用新案登録請求の範囲】
【請求項１】
浴槽のフタに半楕円形の穴を開け入浴、半身浴時にお湯につかりながらフタを閉め首から顔頭を出せる様にし、半楕円形部分はスライドして取りはずしが出きる様にし入浴以外は半楕円形部分を閉めて普通のフタとして使用することができる、半身浴用浴槽のフタ。
【考案の詳細な説明】
【技術分野】
【０００１】  本考案は半身浴時に上半身が冷えないように浴槽のフタをして首から上、顔頭が出るように浴槽フタを加工したものである。
【背景技術】
【０００２】  半身浴時にお腹までお湯につかり、上半身の胸肩をお湯の外、上に長時間出すのでどうしても冷えてしまう。
【考案の開示】
【考案が解決しようとす課題】
【０００３】  半身浴時に胸肩の冷えを防ぐには、湯気で温める様に浴槽のフタをして、首の周りも開かず湯気が逃ないようにする事である。
【課題を解決するための手段】
【０００４】  本考案は半身浴時に胸肩が冷えるので湯気で温まる様に浴槽のフタをして、首の周りまで閉る様にフタを半楕円形の穴を開けて、首から顔頭が出せる様にし、半楕円形の部分はスライドさせて取りはずしが出きる様にして、普通のふろフタとして使用出きる様にする。
【考案の効果】
【０００５】  首の周りまでフタがくるので肩の両側から湯気が逃げず、良く温まり汗を出し一層の効果が出る。
【考案を実施するための最良の形態】
【０００６】  浴槽のフタ片側、入浴側の中心に首が当る部分を半楕円形にカットし穴をあけ、入浴時にフタを閉ても首から顔頭を出せる様にして、カット部分は溝凹凸にしスライドさせて取りはずしが出きる様にする。
【実施例】
【０００７】  以下、添付図面に従って一実施例を説明する。１は浴槽フタ本体は表面アルミ、中身は発泡樹脂、２は半楕円形のフタをスライドさせて取りはずしが出きる部分、３はフタ本体側の溝凹ＡＢＣ樹脂、４は半楕円形のスライド部分の溝凸ＡＢＣ樹脂、５は浴槽フタ本体の縁ポリプロピレン樹脂。
【図面の簡単な説明】
【０００８】
【図１】本考案の浴槽フタの平面図
【図２】本考案の浴槽フタの断面図と３凹、４凸溝の拡大断面図
【図３】本考案の浴槽フタとスライドする半楕円形の斜視図
【図４】本考案の浴槽フタの入浴時の使用例を示す断面図
【符号の説明】
【０００９】１    浴槽フタ本体
２    半楕円形のフタでスライドして取りはずす
３    フタ本体側の溝凹
４    半楕円形側の溝凸
５    浴槽のフタ本体の縁
５ａ  浴槽のフタ本体、半楕円形の縁
【図１】
0003108591.tif 000003
【図２】
0003108591.tif 000004
【図３】
0003108591.tif 000005
【図４】
0003108591.tif 000006
(57)【要約】【課題】  手持ち部付きコップの手持ち部の内側を使用しないで持つことのできるコップで、三角の形をしたコップ掛けに掛け易いこと。【解決手段】  手持ち部付きコップの手持ち部の上下に突起部を取り付けることで、コップを持つ指が突起部で固定され持ち易くなり、三角の形をしたコップ掛けに容易にコップを掛けられるようにした。【選択図】          図１
0003108550.tif 000002
【実用新案登録請求の範囲】
【請求項１】
手持ち部付きコップのコップ手持ち部（２）に、上部突起部（３）と下部突起部（４）を付け、コップ手持ち部（２）の外側でコップを持てるようにした手持ち部付きコップ。
【考案の詳細な説明】
【考案の詳細な説明】
【技術分野】
【０００１】  本考案は、手持ち部付きコップのコップ手持ち部に関するものである。
【背景技術】
【０００２】  三角の形をしたコップ掛けにコップを下向きに掛けるとき、コップ手持ち部の外側と内側を使用し、指で挟むようにして持ち、コップを下向きにして掛けていた。【０００３】  三角の形をしたコップ掛けにコップを下向きに掛けるとき、コップ手持ち部の内側に自分の指が入っている為、指が邪魔をして、三角の形をしたコップ掛けにコップの手持ち部が掛けずらく、コップ手持ち部の上下に突起が付いた手持ち部付きコップは提供されていない。
【考案が解決しようとする課題】
【０００４】  本考案は、以上のような従来の問題点を解決し、コップ手持ち部の内側に指を入れないでコップを持つことを解決の課題とするものである。
【課題を解決するための手段】
【０００５】  本考案は、コップの手持ち部（２）の上部突起部（３）と下部突起部（４）を取り付け、コップの手持ち部（２）の外側を使用して、コップを持つようにしたコップである。
【実施例】
【０００６】  以下、本考案の実施例を添付図を参照しながら詳細に説明する。
図１はコップの正面図で、コップ本体（１）、コップ手持ち部（２）、上部突起部（３）、下部突起部（４）である、図２は三角の形をしたコップ掛けに、コップ手持ち部（２）を使用してコップを下向きに掛けた側面図である、図３は三角の形をしたコップ掛けに、コップ手持ち部（２）を使用してコップを下向きに掛けた図２の正面図である。【０００７】  上部突起部（３）と下部突起部（４）はコップを持つ指を固定する。
【考案の効果】
【０００８】  本考案は、以上説明したように構成されているので、下記に記載されるような効果を要する。
【０００９】  コップ手持ち部の外側を親指と人差し指で持つとき、上下突起部で指が固定され持ち易くなる。
【００１０】  三角の形をしたコップ掛けに、手持ち部付きコップを下向きに掛けるとき、コップ手持ち部の内側に指が無いため掛け易い。
【図面の簡単な説明】
【図１】  手持ち部付きコップの実施例を示す正面図である。
【図２】  三角の形をしたコップ掛けに手持ち部付きコップを下向きに掛けた実施例を示す側面図である。
【図３】  三角の形をしたコップ掛けに手持ち部付きコップを下向きに掛けた実施例を示す図２の正面図である。
【符号の説明】
１  コップ本体
２  コップ手持ち部
３  上部突起部
４  下部突起部
【図１】
0003108550.tif 000003
【図２】
0003108550.tif 000004
【図３】
0003108550.tif 000005
(57)【要約】【課題】  遠赤外線部材の発熱作用により、血液循環の促進並びに保温効果を提供する、遠赤外線効果を有する衣服の構造を提供する。【解決手段】  互いに縫合される、遠赤外線で処理した二枚の生布を有し、それら生布の間に遠赤外線部材が縫いこまれ、  前記遠赤外線部材は互いに張り合わせる二枚のフィルムを有し、それらフィルムの間に電熱線が設けられ、フィルムから外側へ延出する電熱線の一端に電源コードが設けられることを特徴とする。【選択図】  図１
0003108530.tif 000002
【実用新案登録請求の範囲】
【請求項１】
互いに縫合される、遠赤外線で処理した二枚の生布を有し、それら生布の間に遠赤外線部材が縫いこまれ、
前記遠赤外線部材は互いに張り合わせる二枚のフィルムを有し、それらフィルムの間に電熱線が設けられ、フィルムから外側へ延出する電熱線の一端に電源コードが設けられることを特徴とする遠赤外線効果を有する衣服の構造。
【請求項２】
前記電源コードは電池を有する電力供給装置と連接することを特徴とする請求項１に記載の遠赤外線効果を有する衣服の構造。
【考案の詳細な説明】
【技術分野】
【０００１】
本考案は、特に遠赤外線部材の発熱作用により、血液循環の促進並びに保温効果を提供する、遠赤外線効果を有する衣服の構造に関するものである。
【背景技術】
【０００２】
従来の衣服は装飾効果以外に、保温効果を提供することにより、人間を天気の変化によりかかる風邪などの疾病から守っている。
【０００３】
しかし、現在の人々はよく教育を受けることで高知識水準を有することから、衣服の装飾や保温効果だけを要求するのではなく、更に体調を維持する効果も要求されている。
【考案の開示】
【考案が解決しようとする課題】
【０００４】
現在の医学業界には遠赤外線によって人体の血液循環を促進することにより、体調維持や養生効果を果たすが、現在の衣服の構造では単に装飾や保温効果しか提供できないから、遠赤外線効果を提供できない。
【０００５】
そこで、案出されたのが本考案であって、遠赤外線部材の発熱作用により、血液循環の促進並びに保温効果を提供する、遠赤外線効果を有する衣服の構造を提供することを目的としている。
【課題を解決するための手段】
【０００６】
本願の請求項１の考案は、互いに縫合される、遠赤外線で処理した二枚の生布を有し、それら生布の間に遠赤外線部材が縫いこまれ、
前記遠赤外線部材は互いに張り合わせる二枚のフィルムを有し、それらフィルムの間に電熱線が設けられ、フィルムから外側へ延出する電熱線の一端に電源コードが設けられることを特徴とする遠赤外線効果を有する衣服の構造及び、
本願の請求項２の考案は、前記電源コードは電池を有する電力供給装置と連接することを特徴とする請求項１に記載の遠赤外線効果を有する衣服の構造、を提供する。
【考案の効果】
【０００７】
本考案は上記の課題を解決するものであり、互いに縫合される、遠赤外線で処理した二枚の生布を有し、それら生布の間に遠赤外線部材が縫いこまれることにより、一般の衣服でも血液循環の促進や、加熱、保温などによる養生効果を達成できる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る遠赤外線効果を有する衣服の構造を示す分解斜視図であり、図２は本考案に係る遠赤外線効果を有する衣服の構造を示す部分断面図であり、図３は本考案に係る遠赤外線効果を有する衣服の構造の使用状態を示す平面図である。
【００１０】
図１及び図２に示すように、本考案に係わる遠赤外線効果を有する衣服の構造は互いに縫合される、遠赤外線で処理した二枚の生布（１０）を有し、該生布（１０）同士の間に遠赤外線部材（２０）が縫いこまれる。
【００１１】
前記遠赤外線部材（２０）は互いに張り合わせる二枚のフィルム（２１）を有し、各フィルム（２１）に遠赤外線効果を有する顆粒が設けられ、それらフィルム（２１）の間に電熱線（２２）が設けられ、フィルム（２１）から外側へ延出する電熱線（２２）の一端に電池を有する電源供給装置（２４）と連接する電源コード（２３）が設けられる。
【００１２】
前記生布（１０）同士の間に縫いこまれる遠赤外線部材（２０）の電熱線（２２）は通電後、遠赤外線効果を発生することにより、加熱及び保温効果を提供する。
【００１３】
又、図３に示すように、本考案に係わる遠赤外線効果を有する衣服の構造は何れかの衣服（３０）（例えば上着）に使用でき、そして衣服（３０）は人体に対して保健効果を有する遠赤外線を発生することにより、血液循環を促進すると共に、加熱や保温などの養生効果を達成できる。
【００１４】
又、本考案に係わる遠赤外線効果を有する衣服の構造はマットレスやカーペットなどの部品に使用してもよい。
【００１５】
前記実施例の遠赤外線部材（２０）における電源コード（２３）は電力供給装置（２４）と連接するが、一般の家庭用電源や車用電源と接続することにより、所要の電力を取得することができる。
【産業上の利用可能性】
【００１６】
本考案は上記の構成を有するので、互いに縫合される、遠赤外線で処理した二枚の生布を有し、それら生布の間に遠赤外線部材が縫いこまれることにより、一般の衣服でも血液循環の促進や、加熱、保温などによる養生効果を達成できる。
【図面の簡単な説明】
【００１７】
【図１】本考案に係る遠赤外線効果を有する衣服の構造を示す分解斜視図である。
【図２】本考案に係る遠赤外線効果を有する衣服の構造を示す部分断面図である。
【図３】本考案に係る遠赤外線効果を有する衣服の構造の使用状態を示す平面図である。
【符号の説明】
【００１８】
１０        生布
２０        遠赤外線部材
２１        フィルム
２２        電熱線
２３        電源コード
２４        電力供給装置
３０        衣服
【図１】
0003108530.tif 000003
【図２】
0003108530.tif 000004
【図３】
0003108530.tif 000005
(57)【要約】【課題】トランクスに新たな機能を与えること。【解決手段】トランクスの前面１４の内側であって外からは見えない個所にポケット１８を設ける。これにより、コインその他小物を保持することができる。【選択図】図１
0003108523.tif 000002
【実用新案登録請求の範囲】
【請求項１】
トランクスの前面内側の略中央であって、本トランクスを着用した状態では、外部から見えない個所にポケットが設けられていることを特徴とするトランクス。
【請求項２】
前記ポケットの口を塞ぐ手段を設けるとともに、ポケットの生地に防水性を持たせた請求項１に記載のトランクス。
【考案の詳細な説明】
【技術分野】
【０００１】
本考案は、衣料品、特に男性用インナーであるトランクスに関する。
【背景技術】
【０００２】
衣料品業界は全般に流行に敏感である。したがって、衣料品の製品化にあたってはその形状などにいろいろな工夫がなされてきた。こうした傾向はいわゆるインナーとよばれる下着類においても同様であり、男性用のトランクスでも、柄や形状などにいろいろな特徴をもたせた商品が市場に投入されている。
【考案の開示】
【考案が解決しようとする課題】
【０００３】
しかし、トランクスはいわゆる下着であり、下着として必要な機能以上の付加的な機能を持たせるという発想はあまりなかったといってよい。多様な商品化の中で他の商品との差別化をはかるためには、トランクスにも従来にない機能を持たせるという試みが必要である。
【０００４】
本考案はそうした課題に鑑みてなされたものであり、トランクスに新たな機能を付与することを目的とするものである。
【課題を解決するための手段】
【０００５】
本考案のトランクスは、トランクスの前面内側の略中央であって、本トランクスを着用した状態では、外部から見えない個所にポケットが設けられていることを特徴とする。
【考案の効果】
【０００６】
本考案によれば、トランクスであってもコインその他小物を保持することができる。
【考案を実施するための最良の形態】
【０００７】
以下、本考案の実施の形態を、図面に基づいて説明する。
【０００８】
図１は本考案にかかるトランクス１０の全体斜視図である。同図では、トランクス１０を後面１２の側から見た図である。トランクス１０の一番上のウエスト部１６にはゴムが入っており、伸縮するようになっている。このトランクス１０の前面１４の内側中央付近に小さなポケット１８が設けられている。
【０００９】
このトランクス１０によれば、コインその他小物をポケット１８に入れることができる。しかもポケット１８は、トランクス１０を着用した状態では、外から見えない構造になっているため、トランクスとして奇異なデザインとならず、外観上は通常のトランクスと変わらないというメリットがある。また、ポケット１８を内側中央付近に設けることにより、コインその他小物を保持していることが、外観上目立ちにくくなる。仮にポケット１８が中央ではなく左右に設けられていれば、ポケット１８に入れた小物等が、ヒップのサイドラインに現れやすくなる。
【００１０】
本実施の形態において、ポケット１８が設けられた布の上端２６はトランクス１０のウエスト部１６に縫いつけられている。ウエスト部１６はゴムが入っている部分であり、一般に、他の布部分に比べ、丈夫な構造となっている。この部分にポケット１８を縫いつけることにより、ポケットの縫いつけ部分の強度を上げることができる。
【００１１】
図２は本考案の別の実施の形態にかかるトランクスのポケット部を拡大して示す。この実施の形態でも、ポケット１８が設けられた布の上端２６はトランクスのウエスト部１６に縫いつけられているが、この実施の形態においてはポケット１８の口の部分２２を上方から覆うかたちで布２０の一部をかぶせており、その布２０の下端２４の位置がポケット１８の口の部分２２よりも下にきている。
【００１２】
この実施の形態によれば、ポケット１８に小物等を入れた場合に布２０の下端２４でポケット１８の口の部分２２がふさがれるため、コインその他小物が落ちにくいというメリットがある。
【００１３】
以上、本考案を実施の形態をもとに説明した。実施の形態は例示であり、それらの各構成要素やその組合せにいろいろな変形例が可能なこと、またそうした変形例も本考案の範囲にあることは当業者に理解されるところである。
【００１４】
例えば、図２において、ポケット１８の口の部分２２塞ぐファスナー等を設けてもよい。その場合、小物等の落下をより確実に防止できる。また、ポケット１８をビニールその他防水性のある生地で製作するか防水加工することで防水性を持たせ、さらにファスナーを取り付ければ、ポケット１８に小物等を入れたまま洗濯をすることもできる。
【図面の簡単な説明】
【００１５】
【図１】本実施の形態にかかるトランクスの全体斜視図である。
【図２】別の実施の形態にかかるトランクスのポケット部分の拡大図である。
【符号の説明】
【００１６】
１０  トランクス、１２  トランクスの後面、１４  トランクスの前面、１６  トランクスのウエスト部、１８  ポケット、２０  ポケットの口をふさぐ布、２２  ポケットの口の部分、２４  布の下端、２６  布の上端。
【図１】
0003108523.tif 000003
【図２】
0003108523.tif 000004
(57)【要約】【課題】    本考案は、食器洗いザル容器本体の蓋部の窓孔に高密度の網状窓孔を設け、食器を衛生的に保つとともに、洗浄後の食器の乾燥をも可能にする。【解決手段】    食器洗いザル容器本体・水切りザル・蓋部の接縁部をコの字型にすることにより、洗浄後の食器をゴキブリ等の害虫の侵入から守り食器を衛生的に保ち、且つ、食器洗いザル容器本体の蓋部の高密度網状窓孔は、洗浄後の食器の乾燥に役立つ。【選択図】    図１
0003108534.tif 000002
【実用新案登録請求の範囲】
【請求項１】
食器洗いザル容器本体の蓋部の任意箇所に窓孔を設け、当該窓孔に高密度通気用網を張設した通気用網付き防虫食器洗いザル
【考案の詳細な説明】
【技術分野】
【０００１】本考案は、食器洗いザル容器本体の蓋部に窓孔を付設し、この窓孔に高密度の通気用網を張設した食器洗いザルに関するものである。
【背景技術】
【０００２】従来の蓋付き食器洗いザルは、埃やゴキブリ等の害虫から守るために付設して使用される手段として、蓋のみがその役目を果たしていた。
【考案の開示】
【考案が解決しようとする課題】
【０００３】上記の従来技術は、次のような欠点があった。蓋付き食器洗いザルは非常に乾燥しにくい。又、水切りザルの外側の容器本体に無意味な取っ手用隙間があるものもあり、ゴキブリ等による害虫が入り込む欠点があり衛生上問題がある。
本考案は前述の欠点を改善・解決しようとするものである。
【課題を解決するための手段】
【０００４】本考案は、食器洗いザルの容器本体の蓋部に窓孔を設け、高密度の通気用網を張設することにより洗浄後の食器を乾燥させるだけでなく、水切りザル部位と容器本体の接縁部をコの字型の構造にすることにより、完全にゴキブリ等の害虫から守り、衛生的に提供することを目的として、問題点を解決している。
【考案の効果】
【０００５】上述のように、本考案の通気用網付き防虫食器洗いザルは、食器洗いザル容器本体の蓋部の窓孔に高密度の通気用網を張設するため洗浄後の食器が容易に乾燥でき、また接縁部が密着しているため、ゴキブリ等の害虫防止に役立つ。
【図面の簡単な説明】
【０００６】
【図１】斜視図
【図２】断面図
【図１】
0003108534.tif 000003
【図２】
0003108534.tif 000004
(57)【要約】【課題】  握持時に快適で手部疲労を防止できるマウスの提供。【解決手段】  マウスのボタン後方表面に、環状の硬質フランジが設けられ該硬質フランジに円弧状の軟質凸部が接続され、凸部が円状を呈するか或いはその前端が前向きに傾斜延伸され、マウス使用時に手で該凸部を握持する時、その柔軟な特性により、人体工学に符合する設計を有して快適であるものとされ、長時間使用による手部疲労を形成せず、凸部がシリコン樹脂材質とされるか或いは内部に気体が充填されるか、或いは内部に油、水、エマルジョン等の液体が充填される。【選択図】        図１
0003108539.tif 000002
【実用新案登録請求の範囲】
【請求項１】
マウスにおいて、ボタンの後方の表面に、環状の硬質フランジが設けられ、該硬質フランジに円弧状の軟質凸部が接続され、マウス握持時に、掌が該凸部にフィットし、該凸部の軟質の特性と人体工学に符合する設計により、操作を快適に行なえ、長時間の使用によっても疲労を形成しないことを特徴とする、マウス。
【請求項２】
請求項１記載のマウスにおいて、凸部がシリコン材料で形成されたことを特徴とする、マウス。
【請求項３】
請求項１記載のマウスにおいて、凸部の内部に油、水等の液体或いはエマルジョンが封入されたことを特徴とする、マウス。
【考案の詳細な説明】
【技術分野】
【０００１】
本考案はマウスの構造に係り、特に、握持時に快適で手部疲労を防止できるマウスの構造に関する。
【背景技術】
【０００２】
一般にコンピュータ操作に用いられるマウスは、どのような形式であっても、通常、その前端にボタン、ローラ等の制御手段が設けられ、制御手段の後方は平滑状とされ手による握持に供される。このような周知のマウスは使用時に掌が完全にマウスにフィットせず、且つ接触する部分はマウスの硬質のプラスチック材部分であるため、人体工学に符合せず、このため、操作上の不適感をもたらし、且つ長時間操作した後には手部の疲労を形成し、厳重な場合は手部の傷害を引き起こし、理想的でない。また、握持部分を中空透明状として内部に人魚、水などの装飾物を封入したマウスもあるが、外観上、新奇な造形を構成するだけであり、握持時の快適感に対しては助けにならない。
【考案の開示】
【考案が解決しようとする課題】
【０００３】
本考案の主要な目的は、使用時に快適で、且つ長時間使用によっても手部の疲労を形成せず、手部の保護を達成する一種のマウスを提供することにある。
【課題を解決するための手段】
【０００４】
請求項１の考案は、マウスにおいて、ボタンの後方の表面に、環状の硬質フランジが設けられ、該硬質フランジに円弧状の軟質凸部が接続され、マウス握持時に、掌が該凸部にフィットし、該凸部の軟質の特性と人体工学に符合する設計により、操作を快適に行なえ、長時間の使用によっても疲労を形成しないことを特徴とする、マウスとしている。
請求項２の考案は、請求項１記載のマウスにおいて、凸部がシリコン材料で形成されたことを特徴とする、マウスとしている。
請求項３の考案は、請求項１記載のマウスにおいて、凸部の内部に油、水等の液体或いはエマルジョンが封入されたことを特徴とする、マウスとしている。
【考案の効果】
【０００５】
本考案はマウス表面に軟質の凸部が設けられて手部による握持操作に供され、並びに人体工学に符合する設計により握持が更に快適に行なえ、且つ長時間の使用によっても手部の疲労を形成せず、実用的な設計とされ、新規性を有し、実用新案登録の要件を具備する。
【考案を実施するための最良の形態】
【０００６】
本考案によると、マウスのボタンの後方の表面に、環状の硬質フランジが設けられ該硬質フランジに円弧状の軟質凸部が接続され、凸部が円状を呈するか或いはその前端が前向きに傾斜延伸され、マウス使用時に掌で該凸部を握持する時、その柔軟な特性により、人体工学に符合する設計を有して快適であるものとされる。
【０００７】
前述のマウスの構造によると、凸部は軟性のシリコン材質とされる。
【０００８】
前述のマウスの構造によると、凸部内部に気体が充填されるか、或いは内部に油、水、エマルジョン等の液体が充填される。
【実施例１】
【０００９】
図１、２に示されるように、本考案のマウス１は、ボタン１１の後方の表面に、環状の硬質フランジ１２が設けられ、該硬質フランジ１２に円弧状の軟質凸部１３が接続され、マウス１の後方が隆起状を呈し、操作時に手部による握持に供される。
【００１０】
図３に示されるように、本考案は使用時に、使用者は一般のマウスの操作方式のように、手部でマウス１を握持する。本考案はマウス１の後方に凸部１３が設けられ、該凸部１３が掌の空隙を埋めるため、掌が完全に該凸部１３にフィットし、且つ凸部１３は柔軟な材質とされ、人体工学に符合し、これにより操作時に快適で長時間使用による手部の疲労を形成しない。
【００１１】
前述の本考案に設けられた凸部１３は、シリコン材質とされるか、或いは凸部１３内に油、水等の液体が注入されてそれが柔軟な状態を呈するものとされる。
【００１２】
図４に示されるように、本考案のマウス１に設けられた凸部１３は、設計時に、その前端が前向きに所定長さ（ボタン１１の後端まで延伸）傾斜状に延伸されて、ボタン１１操作時に手指が延伸部分にフィットして操作の快適感を提供できるものとされうる。
【００１３】
図５は図４の延伸設計であり、使用者が操作時に、ボタン１１を操作する手指が凸部１３の延伸部にフィットし、これにより全体の掌部分がマウス１に更にフィットし、これにより操作に更に便利で、快適に操作できるものとされている。
【図面の簡単な説明】
【００１４】
【図１】本考案の立体図である。
【図２】本考案の側面図である。
【図３】本考案の使用実施例図である。
【図４】本考案の別の実施例図である。
【図５】図４の使用実施例図である。
【符号の説明】
【００１５】
１  マウス          １２  フランジ
１１  ボタン        １３  凸部
【図１】
0003108539.tif 000003
【図２】
0003108539.tif 000004
【図３】
0003108539.tif 000005
【図４】
0003108539.tif 000006
【図５】
0003108539.tif 000007
(57)【要約】【課題】紙芯の先端を歯型に適応した型となし、その片面に鋸刃状の凸凹をつけ、脱脂綿を固く巻きつけてなることを特徴とする歯の清掃具は、紙芯に凸凹をつけたことで歯の表面を磨き、歯間の歯垢を取り除くという点で有効であり、又二つの作業を同時に行うことができる点でも利点がある。、またさらに本考案は紙芯に凸凹をつけたことで、従来の綿棒より歯肉のマッサージに適しており、歯周病を予防し歯の健康を保つのにより有効である。【解決手段】本考案は紙芯の先端を歯型に適応した型となし、その片面に鋸刃状の凸凹をつけ、脱脂綿を固く巻きつけたことにより、  口腔内で綿の部分が唾液で湿っても歯を磨く効力が弱まる欠点を防いだ。  本考案は紙芯に凸凹をつけることで歯間の歯垢を取り除くということも可能にした。さらに歯を磨き歯間の歯垢を取り除くという２の作業を同時に行うことも可能にした。【選択図】図２
0003108507.tif 000002
【実用新案登録請求の範囲】
【請求項１】
紙芯の先端を歯型に適応した型となし、その片面に鋸刃状の凸凹をつけ、脱脂綿を固く巻きつけてなることを特徴とする歯の清掃具。
【考案の詳細な説明】
【技術分野】
【０００１】  本考案は紙芯の先端を歯型に適応した型となし、その片面に鋸刃状の凸凹をつけ，脱脂綿を固く巻きつけてなることを特徴とする歯の清掃具に関するものである。
【背景技術】
【０００２】  従来の綿棒による歯の清掃具は、工夫の無い紙芯棒の先端に単に脱脂綿を巻くというもので、紙芯の先端に凸凹をつけるなどの技術的な工夫がなされていない。そのため口腔内で綿が湿ると歯を磨く効力が弱まり、さらには歯間の歯垢を取り除くという点でも課題があった。また従来の歯の清掃具は、歯を磨き歯間の歯垢を取り除くという二つの作業を同時に行うことは出来ず、紙芯棒の両端を使って別々に行うか、または歯を磨き、歯間の歯垢を取り除くことを別々の製品とした歯の清掃具であった。
【考案の開示】
【考案が解決しょうとする課題】
【０００３】  従来の歯の清掃具である綿棒は、口腔内において綿の部分が唾液で湿ってしまうと摩擦力が弱まり歯磨き本来の効果に欠点があった。また紙芯に工夫がなされていないため歯間の歯垢を取り除くという点でも課題があった。さらに歯の清掃の中には歯を磨く製品と歯垢を取り除く製品が別々の清掃具として存在し不便である。、これらの欠点を解決しょうとするのが本考案の課題である。
【課題を解決するための手段】
【０００４】      紙芯の先端を歯型に適応した型となし、その片面に鋸刃状の凸凹をつけ、脱脂綿を固きつけてなることを特徴とする歯の清掃具は、課題を解決するため、まず紙芯の先端に鋸刃状の凸凹をつけた。そのことによって歯の表面の清掃と歯間の歯垢を取り除くという２つの清掃がより一層効果的になり、且つ二つの清掃が同時に行えるという利点を得た。なぜなら綿の部分は口腔内で唾液で湿ってしまうと摩擦力が弱まり、歯の表面の清掃が充分に行われないという弱点があった。そこで本考案は、綿を巻く紙芯の部分に鋸刃状の凸凹をつけ綿の部分が湿り摩擦力が弱っても鋸刃状の凸凹がその欠点を補い、歯の清掃の効果が衰えることがないような構成にした。さらに紙芯に鋸刃状の凸凹をつけたことによって歯間の歯垢を取り除くことが可能になり、歯の清掃具として従来の綿棒にない効力を発揮する。さらに凸凹のある事で歯肉への刺激が歯肉のマッサージにも適し歯周病の予防にも従来の歯の清掃具にない効力を発揮するものである。
【考案の効果】
【０００５】  紙芯の先端を歯型に適応した型となし、その片面に鋸刃状の凸凹をつけ、脱脂綿巻きつけてなることを特徴とする歯の清掃具は  紙芯に凸凹をつけたことにより歯を磨き  歯垢を取り除くという二つの作業を効果的に行うと共に、歯を磨き歯間の歯垢を取り除く作業を同時に行うものである。また紙芯に凸凹をつけたことにより歯間のマッサージにも従来のものにない効力があり  歯周病の予防に効果を発揮するものである。
【考案を実施するための最良の形態】
【０００６】  紙芯の先端を歯型に適応した型となし、その片面に鋸刃状の凸凹をつけ、脱脂綿を固く巻きつけてなることを特徴とする歯の清掃具は、まず歯の清掃を効果的に行うため、紙芯の先端を歯型に適応した形態とし、さらにその片面に鋸刃状の凸凹をつけ、その部分に綿を固く巻きつけた。そうすることにより口腔内で綿が湿り歯の清掃の効力が弱まっても凸凹の部分がその欠点を補う。また凸凹のあることで歯間の歯垢を取り除くことにおいても効力がある。さらに取り除いた歯垢は、綿が絡み取ってくれる。よって歯を磨き、歯垢を取るという二つの作業を同時に行うという形態である。こうした効力は寝たっきりの病人・老人等の口腔内の清掃を行う上で、容易で且つ安全な歯の清掃具といえる。本考案は、例えば綿棒の先端を、横幅１ｃｍ，縦幅１．５ｃｍ、厚み０．５ｃｍの歯型に適応した型となし、その部分に０．２ｃｍの鋸刃状の凸凹を刻み脱脂綿を固く巻きつけるというものである。しかし、横幅、縦幅、厚みは限定するものではない。
【実施例】
【０００７】  以下、添付図面にしたがって一実施例を説明する。１は紙芯の先端にて２は紙芯棒である。１の部分の片面に鋸刃状の凸凹をつけて脱脂綿を固く巻きつけたのが３である。そうすることによって歯を磨き、歯間の歯垢を取り除くという点で非常に有効である。又歯を磨き、歯間の歯垢を取り除くという二つの作業を同時に行うという点でも効力がある。さらに１の部分を歯型に適応するように、例えば縦１．５ｃｍ、横１ｃｍ、厚さ３ｍｍに構成し、より効果的に使用できるようにする。ただし大きさは限定しない。また口腔内が乾いた人のために、３を湿らせたものも必要である。
【図面の簡単な説明】
【０００８】
【図１】歯の清掃具の土台となる紙芯の平面図
【図２】紙芯の側面図
【図３】紙芯の先端部分に脱脂綿を巻きつけた歯の清掃具の斜視図
【符号の説明】
【０００９】１  紙芯の先端部
２  紙芯棒
３  脱脂綿を巻いた部分
【図１】
0003108507.tif 000003
【図２】
0003108507.tif 000004
【図３】
0003108507.tif 000005
(57)【要約】【課題】  新規なフィット性のある帯体を新たに提供することにある。【解決手段】  帯体１０は、芯材２０に皮革を巻装し表皮３０としたものである。ここで、芯材２０には、天然ゴムまたは合成ゴムからなる弾性繊維を使用する。また、表皮３０になる皮革には、合成皮革（人工皮革）または天然皮革であって、厚さ０．２〜０．４ｍｍのものを使用する。【選択図】  図１
0003108505.tif 000002
【実用新案登録請求の範囲】
【請求項１】
弾性繊維からなる芯材に皮革を巻装し表皮とした帯体。
【請求項２】
カラー皮革を使用した請求項１記載の帯体。
【請求項３】
請求項１又は２記載の帯体からなる定革。
【請求項４】
請求項１又は２記載の帯体からなるバンド。
【考案の詳細な説明】
【技術分野】
【０００１】
本考案は、定革やバンドに使用できるフィット性のある帯体に関するものである。
【背景技術】
【０００２】
従来、時計バンドに用いられてきたのは、金属バンド、皮革バンド、樹脂バンドなどである。しかし、これらの時計バンドは硬い材質のために手首へのフィット性がなかった。これに対して、近年では体へのフィット性が求められており、従来の時計バンドではその要求に応えられなかった。
【０００３】
そうした中で、特許文献１では、ウレタン樹脂などを使用して装着性がよくフィット性のある帯状体（バンド部材）が開示されている。
【０００４】
【特許文献１】特開２０００−２７９２１５号公報
【考案の開示】
【考案が解決しようとする課題】
【０００５】
そこで、本考案は、特許文献１などと異なる新規なフィット性のある帯体を新たに提供するものである。
【課題を解決するための手段】
【０００６】
上記目的を達成するために、第一の考案は、弾性繊維からなる芯材に皮革を巻装し表皮とした帯体であることを特徴とするものである。
第二の考案は、カラー皮革を使用したことを特徴とするものである。
第三の考案は、上記第一または第二の帯体からなる定革であることを特徴とするものである。
第四の考案は、上記第一または第二の帯体からなるバンドであることを特徴とするものである。
【考案の効果】
【０００７】
本考案によれば、以下のような効果を有する。
（１）弾性繊維からなる芯材に皮革を巻装し表皮とした帯体であることで、表皮と芯材が一緒に伸縮するのでフィット性がでる。また、芯材よりも伸縮性の小さい表皮が芯材を巻装しているので、芯材の強度・耐久劣化を防止できる。すなわち、帯体のフィット性を保ちながら、強度・耐久性を維持できるのである。
（２）また、カラー皮革を使用することで、帯体のカラーバリエーション（柄、色など）が豊富になり、帯体のカラー展開ができ、バンド利用者のニーズに応えられる。
【考案を実施するための最良の形態】
【０００８】
本考案の実施の形態を図面に基づいて説明する。
図１は、本考案の帯体を示す一部切欠斜視図である。帯体１０は、芯材２０に皮革を巻装し表皮３０としたものである。ここで、芯材２０には、天然ゴムまたは合成ゴムからなる弾性繊維を使用する。また、表皮３０になる皮革には、合成皮革（人工皮革）または天然皮革であって、厚さ０．２〜０．４ｍｍのものを使用する。
【０００９】
図２は、図１のＡ−Ａ断面図であるが、これで分かるように芯材２０を中心にその周りを表皮３０が巻装されている。なお、芯材２０と表皮３０とは、接着剤で接合される。このような帯体１０は、表皮３０と芯材２０が一緒に伸縮するのでフィット性がでながらも、芯材２０よりも伸縮性の小さい表皮３０が芯材２０を巻装しているので、芯材２０の強度・耐久劣化を防止できる。
【００１０】
図３は、リング状に形成した帯体を示す一部切欠斜視図である。このようにフィット性を保ちながら、強度・耐久性を維持できる帯体１０は、リング状に形成すると、フィット性のある定革やバンドに使用できる。定革に使用した場合は、剣先バンド（時計バンドの６時側につくバンド）の余り部分を確実に固定でき、バンドを外れにくくできる。また、バンドに使用した場合は、手首等で安定した固定ができる。
【産業上の利用可能性】
【００１１】
本考案は、フィット性が求められる部材に広く利用できるものであり、その一例として時計バンドなどのバンド類や定革などに利用できる。
【図面の簡単な説明】
【００１２】
【図１】本考案の帯体を示す一部切欠斜視図。
【図２】図１のＡ−Ａ断面図。
【図３】リング状に形成した帯体を示す一部切欠斜視図。
【符号の説明】
【００１３】
１０  帯体    ２０  芯材    ３０  表皮
【図１】
0003108505.tif 000003
【図２】
0003108505.tif 000004
【図３】
0003108505.tif 000005
(57)【要約】      （修正有）【課題】寒い冬の夜、肩から布団の中に隙間風が入ってこないので快適に眠ることができる布団カバーを提供する。【解決手段】布団カバ−３に、布団部分と肩に掛かる部分１を縫合し、布団の中に入ってくる隙間風を防ぐ。【選択図】図１
0003108558.tif 000002
【実用新案登録請求の範囲】
【請求項１】
掛け布団カバ−を、布団を覆う長さプラス３０センチくらい長く裁断し、布団のカバ−の分と長くした分を縫い分け、布団にカバ−を装着したとき、肩にカバ−の布が垂れるようにしたもの
【考案の詳細な説明】
【技術の分野】
【０００１】  本考案は掛け布団カバ−を布団部分と肩あるいは首にかかる分を一つにしたものである
【０００２】  冬は、寝ると首や肩口から隙間風が入ってきて気になる
【考案の開示】
【考案が解決しようとする課題】
【０００３】  隙間風が入ってこない
【課題を解決するための手段】
【０００４】  掛け布団カバ−の延長の布を付けておく
【考案の効果】
【０００５】  掛け布団に肩付き掛け布団カバ−を装着して掛ければ肩の部分や首が暖かく腕を頭の方に伸ばしたとき布が掛かっているので寒くない
【考案の実施する為の最良の形態】
【０００６】  カバ−の延長（共布）であることが一番いい
取り外し等の出来るのは首に何等かの違和感が感じられるが、違和感は全く感じられないどころか、暖かく、寝心地がいいので朝までよく寝られる
いらない時は外側に折り返しておくとじゃまになることはない。選択はカバ−に付いているので一緒に洗える。
【図面の簡単な説明】
【０００７】
【図１】本考案の掛け布団に装着した図
【図２】図１の側面図
【図３】人の寝た時の図
【符号の説明】
【０００８】１  肩や首にくる部分
２  縫合部分
３  布団カバ−部分
【図１】
0003108558.tif 000003
【図２】
0003108558.tif 000004
【図３】
0003108558.tif 000005
【手続補正書】
【提出日】平成16年5月19日(2004.5.19)
【手続補正１】
【補正対象書類名】実用新案登録請求の範囲
【補正対象項目名】全文
【補正方法】変更
【補正の内容】
【実用新案登録請求の範囲】
【請求項１】
掛け布団カバ−を、布団を覆う長さプラス３０センチくらい長く裁断し、布団のカバ−の分と長くした分を縫い分け、布団にカバ−を装着したとき、肩にカバ−の布が垂れるようにした肩付き掛け布団カバ−。
【手続補正２】
【補正対象書類名】明細書
【補正対象項目名】全文
【補正方法】変更
【補正の内容】
【考案の詳細な説明】
【技術の分野】
【０００１】  本考案は掛け布団カバーを布団の部分と肩に掛かる部分を一つにした肩付き掛け布団カバーである。
【０００２】  冬寝ている時、首や肩口から冷たい空気が入ってくると気になる。
上（頭）の方に腕を伸ばしたくても寒くて伸ばせない。
顔が寒い時布団の中は苦しい。
ヒーターを消して眠れる
【考案の開示】
【考案が解決しようとする課題】
【０００３】  肩付き掛け布団カバーを掛け布団に装着しておくと、寝ている時、あるいは眠っている時、寝返りをうったとき、肩口から冷たい空気が入ってこない寒い時は肩付き掛け布団カバーの延長部分が腕や顔をカバー出来る
【課題を解決する為の手段】
【０００４】  掛け布団カバーに肩に掛かる部分の布を切断しないで付けておく。
掛け布団カバーの布を布団のカバー部分より３０センチ長く切断して（縫いしろはべつ）掛け布団のカバーの部分と肩に掛かる分を分けるために縫い目を入れる。
【考案の効果】
【０００５】  掛け布団に肩付き掛け布団カバーを装着して掛けて寝ると、肩口から冷たい空気が入ってこないだけでなく、腕を伸ばしたとき、顔が寒い時など肩付き掛け布団カバーが覆ってくれる。また布団が顔に掛かると息が苦しいけれど、カバー布の２重ぐらいはとても快適である。
【考案の実施する為の最良の形態】
【０００６】  カバーの延長（共布）であることが一番いい。
肩付き掛け布団カバーの肩の部分は３０センチくらいが１番いい。
【図面の簡単な説明】
【０００７】
【図１】本考案の掛け布団に装着した肩付き掛け布団カバー
【図２】掛け布団に肩付き掛け布団カバーを装着した側面図
【図３】人の寝た時の肩付き掛け布団カバー
【符号の説明】
【０００８】１  肩に掛かる部分
２  縫合箇所
３  布団をカバーする部分
【手続補正３】
【補正対象書類名】図面
【補正対象項目名】全図
【補正方法】変更
【補正の内容】
【図１】
0003108558.tif 000006
【図２】
0003108558.tif 000007
【図３】
0003108558.tif 000008
(57)【要約】【課題】ビリヤードゲームではボールを正確に転がすには正しいブリッジが必要だが初心者には正確な指の組み合わせでブリッジを組む事は困難である。そのためにビリヤード入門者の障壁のひとつとなっている。上級者並みの指の組み合わせが違和感無く可能になれば初心者でも安定した状況でボールを正確に転がす事が可能となる。【解決手段】上級者並みの正しい位置で指を交差し固定出来る様にするためにグローブの必要とする指の位置に面ファスナーを貼り付けそれぞれの指を固定する事で安定したブリッジを可能とする。【実用新案登録請求の範囲】
【請求項１】
ビリヤード用グローブの親指第一間接内側と人指し指第二間接親指側及び中指第二間接人差し指側にマジックテープを貼り付け各指を交差する事によりマジックテープが指を固定し安定したブリッジが実現できるビリヤード用グローブ
【考案の詳細な説明】
【技術分野】
【０００１】本考案は、ビリヤードのストロークを安定させる為にキューを支えるブリッジを容易にするグローブに関する
【背景技術】
【０００２】ビリヤードのキューの滑りを良くする為にビリヤードグローブがあるが、ブリッジを形成する機能は無く、ブリッジは不安定であり正確な方向性を維持する事は困難である。
【考案の開示】
【考案が解決しようとする課題】
【０００３】ビリヤードゲームではボールを正確に転がすには正しいブリッジが必要だが初心者には正確な指の組み合わせでブリッジを組む事は困難である。そのためにビリヤード入門者の障壁のひとつとなっている。上級者並みの指の組み合わせが違和感無く可能になれば初心者でも安定した状況でボールを正確に転がす事が可能となる。
【課題を解決するための手段】
【０００４】上級者並みの正しい位置で指を交差し固定出来る様にする為にビリヤードグローブの必要とする指の位置にマジックテープを貼り付けそれぞれの指を固定する事で安定したブリッジの形成を可能とする。
【考案の効果】
【０００５】ビリヤード初心者でもグローブに取り付けられたマジックテープで正しい位置で指が交差して固定されるので安定した正しいブリッジとなる。
スタンダードブリッジに置いては、親指と中指が正しい位置で交差し固定するので必然的に安定した正しいブリッジとなり正確なストロークにつながる。オープンブリッジに置いては親指と人差し指が正しい位置で交差し安定するので必然的に安定したブリッジとなり正確なストロークにつながる。
【考案を実施するための最良の形態】
【０００６】マジックテープの貼り付け位置は、▲１▼中指の第二間接の人差し指側側面▲２▼人差し指第二間接親指側側面▲３▼親指第一間接内側▲４▼人差し指先端とする。
【実施例】
【０００７】スタンダードブリッジは、親指と中指のマジックテープ部分が接着する様に指を交差させ、更に人差し指先端を親指のマジックテープに接着し固定させる。オープンブリッジは、親指と人差し指のマジックテープが接着する様に指を交差させ固定させる。
【産業上の利用可能性】
【０００８】ビリヤード場において初心者へのサービスとビリヤード入門を簡単にする目的で常設備品としてレンタルする。お店は客数増加が期待できる。
【図面の簡単な説明】
【０００９】
【図１】「ビリヤードグローブ（左手用）にマジックテープの取り付け位置を示す」
【符号の説明】
【００１０】１親指マジックテープ位置
２人差し指マジックテープ位置
３人差し指先端マジックテープ位置
４中指マジックテープ位置
【図１】
0003108555.tif 000002
【手続補正書】
【提出日】平成16年5月17日(2004.5.17)
【手続補正１】
【補正対象書類名】実用新案登録請求の範囲
【補正対象項目名】全文
【補正方法】変更
【補正の内容】
【実用新案登録請求の範囲】
【請求項１】
ビリヤード用グローブの親指第一間接内側と人指し指第二間接親指側及び中指第二間接人差し指側に面ファスナーを貼り付け各指を交差する事により面ファスナーが指を固定し安定したブリッジが実現できるビリヤード用グローブ
【手続補正２】
【補正対象書類名】明細書
【補正対象項目名】全文
【補正方法】変更
【補正の内容】
【考案の詳細な説明】
【技術分野】
【０００１】本考案は、ビリヤードのストロークを安定させる為にキューを支えるブリッジを容易にするグローブに関する
【背景技術】
【０００２】ビリヤードのキューの滑りを良くする為にビリヤードグローブがあるが、ブリッジを形成する機能は無く、ブリッジは不安定であり正確な方向性を維持する事は困難である。
【考案の開示】
【考案が解決しようとする課題】
【０００３】ビリヤードゲームではボールを正確に転がすには正しいブリッジが必要だが初心者には正確な指の組み合わせでブリッジを組む事は困難である。そのためにビリヤード入門者の障壁のひとつとなっている。上級者並みの指の組み合わせが違和感無く可能になれば初心者でも安定した状況でボールを正確に転がす事が可能となる。
【課題を解決するための手段】
【０００４】上級者並みの正しい位置で指を交差し固定出来る様にする為にビリヤードグローブの必要とする指の位置に面ファスナーを貼り付けそれぞれの指を固定する事で安定したブリッジの形成を可能とする。
【考案の効果】
【０００５】ビリヤード初心者でもグローブに取り付けられた面ファスナーで正しい位置で指が交差して固定されるので安定した正しいブリッジとなる。
スタンダードブリッジに置いては、親指と中指が正しい位置で交差し固定するので必然的に安定した正しいブリッジとなり正確なストロークにつながる。オープンブリッジに置いては親指と人差し指が正しい位置で交差し安定するので必然的に安定したブリッジとなり正確なストロークにつながる。
【考案を実施するための最良の形態】
【０００６】面ファスナーの貼り付け位置は、▲１▼中指の第二間接の人差し指側側面▲２▼人差し指第二間接親指側側面▲３▼親指第一間接内側▲４▼人差し指先端とする。
【実施例】
【０００７】スタンダードブリッジは、親指と中指の面ファスナー部分が接着する様に指を交差させ、更に人差し指先端を親指の面ファスナーに接着し固定させる。オープンブリッジは、親指と人差し指の面ファスナーが接着する様に指を交差させ固定させる。
【産業上の利用可能性】
【０００８】ビリヤード場において初心者へのサービスとビリヤード入門を簡単にする目的で常設備品としてレンタルする。お店は客数増加が期待できる。
【図面の簡単な説明】
【０００９】
【図１】  「ビリヤードグローブ（左手用）に面ファスナーの取り付け位置を示す」
【符号の説明】
【００１０】１親指面ファスナー位置
２人差し指面ファスナー位置
３人差し指先端面ファスナー位置
４中指面ファスナー位置
【手続補正３】
【補正対象書類名】図面
【補正対象項目名】全文
【補正方法】変更
【補正の内容】
【書類名】図面
【図１】
0003108555.tif 000003
【手続補正書】
【提出日】平成16年8月26日(2004.8.26)
【手続補正１】
【補正対象書類名】手続補正書
【補正対象項目名】手続補正４
【補正方法】削除
【補正の内容】